(57)【要約】【課題】起動時にＢＩＯＳやＯＳの起動画面が表示されることや起動に時間がかかることに対するユーザの不満を解消することが可能な画像記録再生装置を提供する。【解決手段】起動画面用データ保持部１４と第１画面設定部２２と第２画面設定部３２とを具備するＰＣアーキテクチャを有する画像記録再生装置１である。起動画面用データ保持部１４は、画像記録再生装置の前回動作時に自動的に書き換え可能であり、画像記録再生装置１の起動時に画像記録再生装置１に接続された表示装置２に表示される起動画面用データ２３を含む。第１画面設定部２２は、画像記録再生装置１の起動時に、オペレーションシステムの起動する間、起動画面用データ２３を、表示装置に表示させる。第２画面設定部３２は、オペレーションシステムの起動後に、起動画面用データ２３の表示を中止させる。【選択図】図１
2007193627.tif 000002
【特許請求の範囲】
【請求項１】
ＰＣアーキテクチャを有する画像記録再生装置であって、
前記画像記録再生装置の前回動作時に自動的に書き換え可能であり、前記画像記録再生装置の起動時に前記画像記録再生装置に接続された表示装置に表示される起動画面用データを有する起動画面用データ保持部と、
前記画像記録再生装置の起動時に、オペレーションシステムの起動する間、前記起動画面用データを、前記表示装置に表示させる第１画面設定部と、
前記オペレーションシステムの起動後に、前記起動画面用データの表示を中止させる第２画面設定部と
を具備する
画像記録再生装置。
【請求項２】
請求項１に記載の画像記録再生装置において、
前記画像記録再生装置の前回動作時に、予め設定されたデータに基づいて、前記起動画面データを作成する画面作成部を更に具備する
画像記録再生装置。
【請求項３】
請求項２に記載の画像記録再生装置において、
前記予め設定されたデータは、ＥＰＧ（Ｅｌｅｃｔｒｏｎｉｃ  Ｐｒｏｇｒａｍ  Ｇｕｉｄｅ）データ、前記画像記録再生装置での予約録画に関するデータ、及び一般教養データの少なくとも一つを含む
画像記録再生装置。
【請求項４】
請求項１乃至３のいずれか一項に記載の画像記録再生装置において、
メインメモリ領域の一部をビデオメモリ領域として使用する機能を用いるとき、
前記第１画面設定部は、前記画像記録再生装置の起動時に、前記オペレーションシステムの起動前に、前記メインメモリ領域に前記ビデオメモリ領域とは別に仮想ビデオメモリ領域を設定して、前記起動画面用データを前記仮想ビデオメモリ領域にコピーし、前記メビデオメモリ領域に対する読出しポインタを前記仮想ビデオメモリ領域に設定し、
前記第２画面設定部は、前記オペレーションシステムの起動後に、前記仮想ビデオメモリ領域に設定されていた読出しポインタを前記ビデオメモリ領域に戻し、前記仮想ビデオメモリ領域を解放する
画像記録再生装置。
【請求項５】
請求項１乃至３のいずれか一項に記載の画像記録再生装置において、
前記起動画面用データ保持部の前記起動画面用データと、前記ビデオメモリ領域からの画像データとのいずれか一方を選択するセレクタとを更に具備し、
メインメモリ領域の一部をビデオメモリ領域として使用する機能を用いるとき、
前記第１画面設定部は、前記セレクタにより前記起動画面用データ保持部の前記起動画面用データを選択し、
前記第２画面設定部は、前記セレクタにより前記ビデオメモリ領域からの前記画像データを選択する
画像記録再生装置。
【請求項６】
（ａ）ＰＣアーキテクチャを有する画像記録再生装置の起動時に、オペレーションシステムを起動する間、前記オペレーションシステムの起動画面とは異なり、前記画像記録再生装置の前回動作時に自動的に書き換え可能な起動画面用データを起動画面用データ保持部から読出し、前記前記画像記録再生装置に接続された表示装置に表示させるステップと、
（ｂ）前記オペレーションシステムの起動後に、前記起動画面用データの表示を中止し、オペレーションシステムの画面の表示に切り換えるステップと
を具備する
起動画面の制御方法。
【請求項７】
請求項６に記載の起動画面の制御方法において、
（ｃ）前記画像記録再生装置の前回動作時に、予め設定されたデータに基づいて、前記起動画面データを作成し、前記起動画面用データ保持部に格納するステップを更に具備する
起動画面の制御方法。
【請求項８】
請求項７に記載の起動画面の制御方法において、
前記予め設定されたデータは、ＥＰＧ（Ｅｌｅｃｔｒｏｎｉｃ  Ｐｒｏｇｒａｍ  Ｇｕｉｄｅ）データ、前記画像記録再生装置での予約録画に関するデータ、及び一般教養データの少なくとも一つを含む
起動画面の制御方法。
【請求項９】
請求項６乃至８のいずれか一項に記載の起動画面の制御方法において、
前記（ａ）ステップは、
（ａ１）前記オペレーションシステムの起動前に、前記画像記録再生装置の備えるメモリにおけるメインメモリ領域にビデオメモリ領域とは別に仮想ビデオメモリ領域を設定して、前記起動画面用データを前記仮想ビデオメモリ領域にコピーするステップと、
（ａ２）前記メモリにおける前記ビデオメモリ領域に対する読出しポインタを前記仮想ビデオメモリ領域に設定するステップと
を備え、
前記（ｂ）ステップは、
（ｂ１）前記オペレーションシステムの起動後に、前記仮想ビデオメモリ領域に設定されていた読出しポインタを前記ビデオメモリ領域に戻すステップと、
（ｂ２）前記仮想ビデオメモリ領域を解放するステップと
を備える
起動画面の制御方法。
【請求項１０】
請求項６乃至８のいずれか一項に記載の起動画面の制御方法において、
前記（ａ）ステップは、
（ａ１）前記オペレーションシステムの起動前に、前記起動画面用データ保持部の前記起動画面用データと前記画像記録再生装置の備えるメモリのビデオメモリ領域からの画像データとのいずれか一方を選択するセレクタにより、前記起動画面用データ保持部の前記起動画面用データを選択するステップを備え、
前記（ｂ）ステップは、
（ｂ１）前記オペレーションシステムの起動後に、前記セレクタにより前記ビデオメモリ領域からの前記画像データを選択するステップを備える
起動画面の制御方法。
【請求項１１】
請求項６乃至１０のいずれか一項に記載の起動画面の制御方法をコンピュータに実行させるためのプログラム。
【発明の詳細な説明】
【技術分野】
【０００１】
本発明は、画像記録再生装置及び起動画面の制御方法に関する。
【背景技術】
【０００２】
ＭＰＥＧ（Ｍｏｖｉｎｇ  Ｐｉｃｔｕｒｅ  Ｅｘｐｅｒｔｓ  Ｇｒｏｕｐ）規格の画像データを再生するＡＶ（ａｕｄｉｏ  ａｎｄ  ｖｉｓｕａｌ）用途向けの機器（例示：ハードディスク内蔵ＤＶＤレコーダ）が知られている。このような機器は、ＰＣアーキテクチャをベースとしている物も存在する。すなわち、ＰＣ（ｐｅｒｓｏｎａｌ  ｃｏｍｐｕｔｅｒ）と概ね同様の構成を備え、起動時にはＢＩＯＳ（Ｂａｓｉｃ  Ｉｎｐｕｔ／Ｏｕｔｐｕｔ  Ｓｙｓｔｅｍ）及びＯＳ（Ｏｐｅｒａｔｉｎｇ  Ｓｙｓｔｅｍ）が立ち上がる。その上で、アプリケーションソフトウェアが動作するようになっている。
【０００３】
従来、この機器において、ＭＰＥＧ２の画像データの再生にはデコーダとして専用ＬＳＩ（ｌａｒｇｅ  Ｓｃａｌｅ  Ｉｎｔｅｇｒａｔｅｄ  ｃｉｒｃｕｉｔ）が必要であった。しかし、近年、ＣＰＵ（Ｃｅｎｔｒａｌ  Ｐｒｏｃｅｓｓｉｎｇ  Ｕｎｉｔ）の性能向上および周辺ＬＳＩ（Ｃｈｉｐ  ｓｅｔ：チップセット）へのグラフィック機能や動画再生サポート機能の取り込みによる多機能化により、デコーダを使用しなくても、ＣＰＵ＋Ｃｈｉｐ  ｓｅｔの構成のみで、ソフトウエアを用いて十分な画質で画像データの再生を行うことが可能となった。
【０００４】
この機器の構成は、普通のＰＣを使用しているときに表示される画面をＴＶモニタに出力する。したがって、通常のＰＣ起動時にディスプレイに表示されるＢＩＯＳやＯＳの起動画面が、この機器の起動時にも同様にＴＶモニタに出力されてしまう。加えて、ＰＣアーキテクチャ用の多機能なＯＳやアプリケーションソフトウエアをメモリに読み込んで実行するため、起動には通常のＴＶの起動時間に比較して時間がかかる。ＰＣユーザは、ＰＣの起動時に起動画面が表示されることや起動に時間がかかることに慣れている。しかし、この機器は家電として用いられるので、ユーザは、起動後すぐに画面が表示される通常のＴＶと異なり、ＢＩＯＳやＯＳの起動画面が表示されることや起動に時間がかかることに対して違和感や不満を持つことが考えられる。また、ＯＳの起動画面をそのまま出すことは、使用ＯＳを明示することになりユーザによる内部解析を助長することになり好ましくない。しかし、起動時間は主にＯＳやアプリケーションソフトウエアをメモリに読み込む時間であり大幅な削減は困難である。
【０００５】
その対応策として、別回路のビデオデコーダを機器に搭載し、そのビデオデコーダ経由で起動画面を表示することで、機器の起動時にＴＶモニタに任意の起動画面を表示させることも考えられる。しかし、その場合、別回路のビデオでコーダの分だけコストアップとなる。起動時にＢＩＯＳやＯＳの起動画面が表示されることや起動に時間がかかることに対する不満を解消することが可能な技術が望まれる。
【０００６】
関連する技術として特開２００４−１６４５３９号公報にコンピュータープラットホームの起動画面の制御方法、そのプログラム、そのプログラムを記憶する記憶媒体、及びコンピュータープラットホームが開示されている。このコンピュータープラットホームの起動画面を制御する方法は、多重起動画面モードに適用する複数の予存画面資料を記憶する記憶装置と、起動画面を表示するディスプレイとを備えるコンピュータープラットホームの起動工程を実行すると共に、一般の起動画面モードに適用する予設画面資料を備えるＢＩＯＳを起動する工程と；前記ＢＩＯＳのパターンモードにおいて、起動画面モードを受信する工程と；前記起動画面モードが多重起動画面モードの時、起動選択設定を受信すると共に、前記ディスプレイ上に前記起動選択設定に対応する予存画面資料を表示し、前記起動画面モードが一般の起動画面モードの時、前記ディスプレイ上に前記ＢＩＯＳの予設画面資料を表示する工程と；前記ディスプレイが表示する前記予存画面資料、或いは前記予設画面資料に合わせて、後続の起動工程を実行する工程とを備えることを特徴とする。
【０００７】
特開２００５−６１８５号公報に画像再生装置及び画像記録再生装置が開示されている。この画像再生装置は、記録した画像データを出力可能なハードディスクドライブと、このハードディスクドライブを制御して、前記ハードディスクドライブに記録した画像データを再生するとともに、起動時には前記ハードディスクドライブの一部に記録した所定の画像データを起動画面として再生する制御手段とを具備したことを特徴とする。
【０００８】
【特許文献１】特開２００４−１６４５３９号公報
【特許文献２】特開２００５−６１８５号公報
【発明の開示】
【発明が解決しようとする課題】
【０００９】
従って、本発明の目的は、起動時にＢＩＯＳやＯＳの起動画面が表示されることや起動に時間がかかることに対するユーザの不満を解消することが可能な画像記録再生装置及び起動画面の制御方法を提供することにある。
【００１０】
また、本発明の他の目的は、ユーザの感じる感覚的な起動時間を短く感じさせることが可能な画像記録再生装置及び起動画面の制御方法を提供することにある。
【００１１】
本発明の更に他の目的は、起動時にＢＩＯＳやＯＳの起動画面以外の固定的でない起動画面を表示させることが可能な画像記録再生装置及び起動画面の制御方法を提供することにある。
【００１２】
本発明の更に他の目的は、ユーザによる内部解析を困難にすることが可能な画像記録再生装置及び起動画面の制御方法を提供することにある。
【課題を解決するための手段】
【００１３】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１４】
上記課題を解決するために、本発明の画像記録再生装置は、ＰＣアーキテクチャを有する画像記録再生装置（１）である。起動画面用データ保持部（１４、５２、５６）と、第１画面設定部（２２）と、第２画面設定部（３２）とを具備する。起動画面用データ保持部（１４、５２、５６）は、画像記録再生装置（１）の前回動作時に自動的に書き換え可能であり、画像記録再生装置（１）の起動時に画像記録再生装置（１）に接続された表示装置（２）に表示される起動画面用データ（２３）を含む。第１画面設定部（２２）は、画像記録再生装置（１）の起動時に、オペレーションシステムが起動するまでの間、起動画面用データ（２３）を、表示装置に表示させる。第２画面設定部（３２）は、オペレーションシステムの起動後に、起動画面用データ（２３）の表示を中止させる。
本発明において、画像記録再生装置（１）の起動時に、オペレーションシステム（３０）の起動画面ではなく、画像記録再生装置（１）の前回動作時に自動的に書き換え可能であり予め自動的に準備された起動画面用データ（２３）が表示される。したがって、ユーザは起動画面用データ（２３）を見慣れることが無く、起動ごとに起動画面に集中し内容理解に勤めるので、ユーザの感じる感覚的な起動時間を短く感じさせることができ、起動に時間がかかることに対するユーザの不満を解消することができる。また、起動時にＢＩＯＳやＯＳの起動画面が表示されることに対するユーザの不満を解消することができる。更に、ユーザはオペレーションシステム（３０）が分からず、ユーザによる内部解析を困難にすることを可能にすることができる。
【００１５】
上記の画像記録再生装置は、画像記録再生装置（１）の前回動作時に、予め設定されたデータに基づいて、起動画面データ（３９）を作成する画面作成部（３５）を更に具備することが好ましい。
本発明において、画像記録再生装置（１）の前回動作時に、起動画面データ（３９）が作成されるので、起動ごとに異なる起動画面用データ（２３）を表示することができる。
【００１６】
上記の画像記録再生装置において、予め設定されたデータは、ＥＰＧ（Ｅｌｅｃｔｒｏｎｉｃ  Ｐｒｏｇｒａｍ  Ｇｕｉｄｅ）データ、画像記録再生装置（１）での予約録画に関するデータ、及び一般教養データの少なくとも一つを含むことが好ましい。
本発明において、ユーザが興味を引くようなＥＰＧデータ、予約録画に関するデータ、及び一般教養データを起動画面用データ（２３）に用いているので、ユーザは起動画面用データ（２３）に集中し内容理解に勤める、その内容を楽しむこともできるので、ユーザの感じる感覚的な起動時間を短く感じさせることができ、起動に時間がかかることに対するユーザの不満を解消することができる。
【００１７】
上記の画像記録再生装置は、メインメモリ領域（４２）の一部をビデオメモリ領域（４１）として使用する機能を用いるとき、第１画面設定部（２２）は、画像記録再生装置（１）の起動時に、オペレーションシステムの起動前に、メインメモリ領域（４２）にビデオメモリ領域（４１）とは別に仮想ビデオメモリ領域（４２ｂ）を設定して、起動画面用データ（２３）を仮想ビデオメモリ領域（４２ｂ）にコピーし、メビデオメモリ領域（４１）に対する読出しポインタ（４４）を仮想ビデオメモリ領域（４２ｂ）に設定することが好ましい。第２画面設定部（３２）は、オペレーションシステムの起動後に、仮想ビデオメモリ領域（４２ｂ）に設定されていた読出しポインタ（４４）をビデオメモリ領域（４１）に戻し、仮想ビデオメモリ領域（４２ｂ）を解放することが好ましい。
本発明より、一時的に仮想ビデオメモリ領域（４２ｂ）を設定し、それをビデオメモリ領域（４１）として認識させる方法を用いることにより、特別な構成を付加することなく、起動時に起動画面用データ（２３）を表示装置（２）に表示させることができる。
【００１８】
上記の画像記録再生装置は、セレクタ（５１、５４）とを更に具備することが好ましい。セレクタ（５１、５４）は、起動画面用データ保持部（５２、５６）の起動画面用データ（２３）と、ビデオメモリ領域（４１）からの画像データとのいずれか一方を選択することが好ましい。メインメモリ領域（４２）の一部をビデオメモリ領域（４１）として使用する機能を用いるとき、第１画面設定部（２２）は、セレクタ（５１、５４）により起動画面用データ保持部（５２、５６）の起動画面用データ（２３）を選択することが好ましい。第２画面設定部（３２）は、セレクタ（５１、５４）によりビデオメモリ領域（４１）からの画像データを選択することが好ましい。
本発明より、一時的に起動画面用データ（２３）を物理的に選択する方法を用いるので、プログラム上の変更が容易である。
【００１９】
上記課題を解決するために、本発明の起動画面の制御方法は、（ａ）ＰＣアーキテクチャを有する画像記録再生装置（１）の起動時に、オペレーションシステム（３０）を起動する間、オペレーションシステム（３０）の起動画面とは異なり、画像記録再生装置（１）の前回動作時に自動的に書き換え可能な起動画面用データ（２３）を起動画面用データ保持部（１４、５２、５６）から読出し、画像記録再生装置（１）に接続された表示装置（１）に表示させるステップと、（ｂ）オペレーションシステム（３０）の起動後に、起動画面用データ（２３）の表示を中止し、オペレーションシステムの画面の表示に切り換えるステップとを具備する。
【００２０】
上記の起動画面の制御方法において、（ｃ）画像記録再生装置（１）の前回動作時に、予め設定されたデータに基づいて、起動画面データ（３９）を作成し、起動画面用データ保持部（１４、５２、５６）に格納するステップを更に具備することが好ましい。
【００２１】
上記の起動画面の制御方法において、予め設定されたデータは、ＥＰＧ（Ｅｌｅｃｔｒｏｎｉｃ  Ｐｒｏｇｒａｍ  Ｇｕｉｄｅ）データ、画像記録再生装置（１）での予約録画に関するデータ、及び一般教養データの少なくとも一つを含むことが好ましい。
【００２２】
上記の起動画面の制御方法において、（ａ）ステップは、（ａ１）オペレーションシステムの起動前に、画像記録再生装置（１）の備えるメモリ（１３）におけるメインメモリ領域（４２）にビデオメモリ領域（４１）とは別に仮想ビデオメモリ領域（４２ｂ）を設定して、起動画面用データ（２３）を仮想ビデオメモリ領域（４２ｂ）にコピーするステップと、（ａ２）メモリ（１３）におけるメビデオメモリ領域（４１）に対する読出しポインタ（４４）を仮想ビデオメモリ領域（４２ｂ）に設定するステップとを備えることが好ましい。（ｂ）ステップは、（ｂ１）オペレーションシステムの起動後に、仮想ビデオメモリ領域（４２ｂ）に設定されていた読出しポインタ（４４）をビデオメモリ領域（４１）に戻すステップと、（ｂ２）仮想ビデオメモリ領域（４２ｂ）を解放するステップとを備えることが好ましい。
【００２３】
上記の起動画面の制御方法において、（ａ）ステップは、（ａ１）オペレーションシステムの起動前に、起動画面用データ保持部（５２、５６）の起動画面用データ（２３）と画像記録再生装置（１）の備えるメモリ（１３）のビデオメモリ領域（４１）からの画像データとのいずれか一方を選択するセレクタ（５１、５４）により、起動画面用データ保持部（５２、５６）の起動画面用データ（２３）を選択するステップを備えることが好ましい。（ｂ）ステップは、（ｂ１）オペレーションシステムの起動後に、セレクタ（５１、５４）によりビデオメモリ領域（４１）からの画像データを選択するステップを備えることが好ましい。
【００２４】
上記課題を解決するために、本発明のプログラムは、上記のいずれか一項に記載の起動画面の制御方法をコンピュータに実行させる。
【発明の効果】
【００２５】
本発明により、画像記録再生装置において、起動時にＢＩＯＳやＯＳの起動画面以外の固定的でない起動画面を自動的に発生、表示させ、ユーザの感じる感覚的な起動時間を短く感じさせて、起動時にＢＩＯＳやＯＳの起動画面が表示されることや起動に時間がかかることに対するユーザの不満を解消することが可能となる。
【発明を実施するための最良の形態】
【００２６】
以下、本発明の画像記録再生装置及び起動画面の制御方法の実施の形態に関して、添付図面を参照して説明する。まず、本発明の画像記録再生装置の実施の形態の構成について説明する。図１は、本発明の画像記録再生装置の実施の形態の構成を示すブロック図である。
【００２７】
画像記録再生装置１は、ＴＶモニタ２、及び、アンテナ３及びネットワーク５の少なくとも一方に接続されている。アンテナ３又はネットワーク５を介して得られる画像データを記録し、また、その画像データ又は内部に記録している画像データ又はネットワーク５を介して得られる画像データをＴＶモニタ２で再生する。アンテナ３からの画像データ（番組）は、チューナ１７で受信され、エンコーダ１６でエンコードされ、例えば、録画データ３７としてＨＤＤ１５に格納される。ネットワーク５経由でサーバ４から取得する画像データ（番組）は、Ｉ／Ｆ１８を介して受信され、例えば、録画データ３７としてＨＤＤ１５に格納される。画像記録再生装置１は、ハードディスク内蔵ＤＶＤレコーダに例示される。画像記録再生装置１は、ＣＰＵ１１、Ｃｈｉｐｓｅｔ（チップセット）１２、メモリ１３、ＢＩＯＳ  ＲＯＭ１４、ＨＤＤ（Ｈａｒｄ  Ｄｉｓｃ  Ｄｒｉｖｅ）１５、エンコーダ１６、チューナ１７、Ｉ／Ｆ１８を具備する。
【００２８】
ＣＰＵ１１は、中央演算処理装置であり、画像記録再生装置１の動作を制御する。Ｃｈｉｐ  ｓｅｔ１２は、周辺ＬＳＩであり、画像記録再生装置１内部で、ＣＰＵ１２、メモリ１３、ＢＩＯＳ  ＲＡＭ１４、ＨＤＤ１５、エンコーダ１６、Ｉ／Ｆ１８間のデータの受け渡しを管理する回路群である。メモリ１３は、メインメモリであり、ＲＡＭ（Ｒａｎｄａｍ  Ａｃｃｅｓｓ  Ｍｅｍｏｒｙ）に例示される。メモリ１３は、ビデオメモリ（ＶＲＡＭ）領域を有している。すなわち、本発明の画像記録再生装置１は、ＣＰＵ＋Ｃｈｉｐｓｅｔという構成で一般的に用いられているメインメモリの一部をグラフィックメモリ（ビデオメモリ）として使用するＵＭＡ（Ｕｎｉｆｉｅｄ  Ｍｅｍｏｒｙ  Ａｒｃｈｉｔｅｃｔｕｒｅ）方式を用いている。
【００２９】
Ｃｈｉｐｓｅｔ１２は、グラフィックスコア（Ｇｒａｐｈ）２６を含む。グラフィックスコア２６は、メモリ１３におけるビデオメモリ領域から画像データを取得し、ＴＶモニタ２が画面表示可能なように画像データを出力する。
【００３０】
ＢＩＯＳ  ＲＯＭ１４は、プログラムとしてのＢＩＯＳ２１及び画面設定部２２と、データとしての起動画面用データ２３を格納する不揮発性メモリである。ＢＩＯＳ  ＲＯＭ１４は、書き換え可能なフラッシュメモリに例示される。ＢＩＯＳ２１は、画像記録再生装置１を構成するハードウェアを制御するプログラム群であり、周辺機器に対する基本的な入出力手段をＯＳやアプリケーションソフトウエアに対して提供する。画面設定部２２は、画像記録再生装置１の起動時に、起動画面用データ２３をＴＶモニタ２に表示するように、メモリ１３に関する処理を行う。なお、画面設定部２２は、ＢＩＯＳ２１に含まれていても良い。また、画像記録再生装置１がＢＩＯＳ  ＲＯＭ１４とは別のＲＯＭを有し、当該ＲＯＭに起動画面用データ２３を格納していても良い。
【００３１】
起動画面用データ２３は、画像記録再生装置１の起動時にＴＶモニタ２に表示される画像データである。起動画面用データ２３は、書き換え可能なＢＩＯＳ  ＲＯＭ１４（例示：フラッシュメモリ）に格納されているので、その内容を書き換えることで、起動毎に表示する内容を変更できる。起動画面用データ２３は、現在の日付時刻、その日のＥＰＧ（Ｅｌｅｃｔｒｏｎｉｃ  Ｐｒｏｇｒａｍ  Ｇｕｉｄｅ）データ、その日の前又は後の一週間分の予約録画の内容や録画した番組のうちの未視聴の番組の名称（タイトル）の一覧やそれらのサムネイル（ｔｈｕｍｂｎａｉｌ）のような予約録画に関するデータ、一般的なクイズのＱ＆Ａや百科事典の内容や雑学のような一般教養データに例示される。これらは、例えば、前回の画像記録再生装置１の電源オフ時に、ＢＩＯＳ  ＲＯＭ１４に格納される。
【００３２】
ＨＤＤ１５は、プログラムとしてのＯＳ３０、アプリケーションソフトウエア３１、画面設定部３２、ＥＰＧ取得部３３、予約録画部３４及び画面作成部３５と、データとしての起動画面用データ３９、ＥＰＧデータ３６、録画データ３７、及び予約データ３８を格納する記憶装置である。ＯＳ３０は、多くのアプリケーションソフトウエアから共通して利用される基本的な機能を提供し、画像記録再生装置１のシステム全体を管理する。アプリケーションソフトウエア３１は、ＯＳ３０上で動作するソフトウェアであり、画像編集ソフトウエアや文書作成ソフトウエアなどに例示される。
【００３３】
画面設定部３２は、画像記録再生装置１のＯＳ３０及びアプリケーションソフトウェア３１の起動終了時に、起動画面用データ２３ではなく、ＯＳ３０又は他のアプリケーションソフトウエア３１の画面をＴＶモニタ２に表示するように、メモリ１３に関する処理を行う。なお、画面設定部３２は、ＯＳ３０に含まれていても良い。又は、画面設定部３２は、ＯＳ３０起動後に起動される他のアプリケーションソフトウエア３１に含まれていても良い。
【００３４】
ＥＰＧ取得部３３は、一日に数回、指定の時間に放送電波に乗せられて送られてくるＥＰＧデータ３６をアンテナ３から取得するために、指定の時間になると画像記録再生装置１を自動的に起動する。取得したＥＰＧデータ３６をＨＤＤ１５に格納する。画像記録再生装置１がネットワーク５に接続されている時は、ネットワーク５経由でＥＰＧデータ３６を取得し、ＨＤＤ１５に格納する。そして、ＥＰＧデータ３６の取得の完了後、画像記録再生装置１の電源を自動的にオフする。
【００３５】
また、予約録画部３４は、ユーザが入力しＨＤＤ１５に格納された予約データ３８に基づいて、予約録画を実行する。すなわち、予約データ３８に基づいて、画像記録再生装置１を自動的に起動して、アンテナ３又はネットワーク５経由で録画データ３７を取得する。そして、予約録画による録画データ３７取得の完了後、画像記録再生装置１の電源を自動的にオフする。
【００３６】
画面作成部３５は、ＥＰＧデータ３６の取得完了後で画像記録再生装置１の電源が自動的にオフされる前に、ＥＰＧデータ３６に関する起動画面用データ３９を作成する。そして、ＥＰＧ取得部３３は、起動画面用データ３９を起動画面用データ２３としてＢＩＯＳ  ＲＯＭ１４に格納する。これにより、起動画面用データ２３を毎日書き換えができ、ユーザが電源を入れるごとに起動画面用データ２３を変えることが可能となる。起動画面用データ３９は、この場合、例えば、その日又は所定の日数分の番組表（ＥＰＧデータ）である。
【００３７】
画面作成部３５は、予約録画による録画データ３７取得が完了して、自動的に電源をオフする前に予約録画に関する起動画面用データ３９を作成し、その起動画面用データ３９を起動画面用データ２３としてＢＩＯＳ  ＲＯＭ１４に格納しても良い。これにより、ユーザが前回電源を切り今回電源を入れるまでの間に予約録画で録画された番組がある場合、ユーザが電源を入れるごとに起動画面用データ２３を変えることが可能となる。起動画面用データ３９は、この場合、例えば、予約録画で録画された未視聴の番組のタイトル一覧や、その日の前又は後の一週間分の予約録画のリストである。
【００３８】
次に、本発明の起動画面の制御方法の実施の形態（画像記録再生装置の実施の形態の動作）について、図２〜図７を参照して説明する。図２〜図６は、本発明の起動画面の制御方法の実施の形態におけるメモリ１３に関する処理を示す概念図である。図７は、本発明の起動画面の制御方法の実施の形態を示すフロー図である。
【００３９】
図７を参照して、ユーザは、画像記録再生装置１の電源を投入する（ステップＳ０１）。ＢＩＯＳ  ＲＯＭ１４の画面設定部２２は、ＢＩＯＳ２１に含まれている場合にはＢＩＯＳ２１の所定の設定中に、ＢＩＯＳ２１に含まれていない場合にはＢＩＯＳ２１の所定の設定の後に、メモリ１３の一部に仮想ＶＲＡＭ領域を確保する（ステップＳ０２）。そして、画面設定部２２は、ＢＩＯＳ  ＲＯＭ１４の起動画面用データ２３を仮想ＶＲＡＭ領域へコピーする（ステップＳ０３）。
【００４０】
図２を参照して、図２（ａ）はメモリ１３の通常の状態を示している。メモリ１３は、ＵＭＡ方式を用いるメモリであり、ＣＰＵ１１がデータ処理に用いるメインメモリ領域４２と、グラフィックスコア２６がグラフィックメモリとして用いるＶＲＡＭ（ビデオメモリ）領域４１とを有している。図２（ｂ）はステップＳ０２、Ｓ０３におけるメモリ１３の状態を示している。画面設定部２２は、メモリ1３のうちメインメモリ領域４２の一部に仮想ＶＲＡＭ領域４２ｂを設定する（ステップＳ０２）。そして、画面設定部２２は、仮想ＶＲＡＭ領域４２ｂに起動画面用データ２３をコピーする（ステップＳ０３）。メインメモリ領域４２の残りの部分はメインメモリ領域４２ａである。
【００４１】
図７を参照して、画面設定部２２は、グラフィックスコア２６による画像データの読出しポインタを、通常のＶＲＡＭ領域４１から仮想ＶＲＡＭ領域４２ｂへ移動・変更する（ステップＳ０４）。一方、書込みポインタは通常のＶＲＡＭ領域４１のまま変更しない。
【００４２】
図３を参照して、この図はステップＳ０４におけるメモリ１３の読出しポインタ４４と書込みポインタ４３の状態を示している。書込みポインタ４３は変更されず、読出しポインタ４４はＶＲＡＭ領域４１から仮想ＶＲＡＭ領域４２ｂへ移動・変更される。これにより、この後にＴＶモニタ２に表示される画像データとして読み出されるのは、仮想ＶＲＡＭ領域４２ｂにコピーされた起動画面用データ２３となる。一方、ＯＳ３０からの画像データは、ＶＲＡＭ領域４１へ書き込まれることになる。
【００４３】
図７を参照して、ＯＳ３０の起動が開始される。グラフィックコア２６は、仮想ＶＲＡＭ領域４２ｂの起動画面用データ２３を読出しデータとして読み出し、ＴＶモニタ２へ出力する。ＴＶモニタ２は、その読出しデータ（起動画面用データ２３）を表示する（ステップＳ０５）。一方、ＯＳ３０は、所定の画像データ（起動画面のデータ）を書込みデータとしてＶＲＡＭ領域４１に書き込む（ステップＳ０６）。
【００４４】
図４を参照して、この図はステップＳ０５、Ｓ０６におけるメモリ１３の読出しデータ４６と書込みデータ４５の状態を示している。書込みポインタ４３は変更されていないので、ＯＳ３０からの画像データ（ＯＳ３０の起動画面、又はアプリケーションソフトウエア３１の起動画面）は、通常のＶＲＡＭ領域４１へ書込まれる。しかし、読込みポインタ４４は変更されているので、ＴＶモニタ２への読出しデータは、仮想ＶＲＡＭ領域４２ｂから読み出される。これにより、ＴＶモニタ２に仮想ＶＲＡＭ領域４２ｂの画像データ（起動画面用データ２３）を表示させ、ＯＳ３０の画像データ（ＯＳ３０の起動画面、又はアプリケーションソフトウエア３１の起動画面）を表示させないようにすることができる。
【００４５】
図７を参照して、ＯＳ３０の起動後、又は、その後の所定のアプリケーションソフトウエア３１の立ち上げが終了した段階で、ＨＤＤ１５の画面設定部３２は、仮想ＶＲＡＭ領域４２ｂに設定されていた読出しポインタ４４を、本来のＶＲＡＭ４１領域へ戻す（ステップＳ０７）。
【００４６】
図５を参照して、この図はステップＳ０７におけるメモリ１３の読出しポインタ４４と書込みポインタ４３の状態を示している。書込みポインタ４３は変更されず、読出しポインタ４４は仮想ＶＲＡＭ領域４２ｂからＶＲＡＭ領域４１へ移動・変更される。これにより、この後にＴＶモニタ２に表示される画像データとして読み出されるのは、ＶＲＡＭ領域４１へ書き込まれたＯＳ３１の画像データ（又はアプリケーションソフトウエア３１の画像データ）になる。すなわち、ＴＶモニタ２にＯＳ３１の画像データ又はアプリケーションソフトウエア３１の画像データを表示させる。
【００４７】
図７を参照して、画面設定部３２は、メモリの一部に設定されていた仮想ＶＲＡＭ領域４２ｂを開放する（ステップＳ０８）。それにより、仮想ＶＲＡＭ領域４２ｂはメインメモリ領域４２に返還され、メインメモリ領域４２として使用できるようなる。
【００４８】
図６を参照して、図６（ａ）はステップＳ０８の直前におけるメモリ１３の状態を示している。画面設定部３２は、メモリ1３のうちメインメモリ領域４２の一部に仮想ＶＲＡＭ領域４２ｂを設定している。図６（ｂ）はステップＳ０８におけるメモリ１３の状態を示している。画面設定部３２は、メモリの一部に設定されていた仮想ＶＲＡＭ領域４２ｂを開放して、メインメモリ領域４２として使用できるようにする。これにより、メモリ１３は、ＣＰＵ１１がデータ処理に用いるメインメモリ領域４２と、グラフィックスコア２６がグラフィックメモリとして用いるＶＲＡＭ（ビデオメモリ）領域４１とに戻る。
【００４９】
このような動作により、本発明の起動画面の制御方法を実行することができる。本発明により、画像記録再生装置１において、その起動時に、ＢＩＯＳやＯＳの起動画面以外の起動画面用データ２３を起動画面として表示させることができる。
【００５０】
なお、表示装置２に表示される起動画面については、何らかのトリガを検出することにより、ＢＩＯＳ  ＲＯＭ１４に格納された他の起動画面用データ２３と書き換えを行うことが出来る。何らかのトリガとは、例えば以下のようなものである。
・Ｇｒａｐｈ機能のモード遷移を監視し、その遷移を参照し画面書き換えのタイミングとする。
・メモリ１３へのアクセスを監視し、アクセスしているアドレスを元に画面書き換えのタイミングとする。
・ＩＤＥバスを監視し、アクセスしているファイルを元に画面書き換えのタイミングとする。
【００５１】
次に、本発明の起動画面の制御方法における画像記録再生装置１の起動画面について更に説明する。
【００５２】
ＴＶモニタ２に表示される画像記録再生装置１の起動画面については、ＢＩＯＳ  ＲＯＭ１４の起動画面用データ２３を書き換えることで、例えば、画像記録再生装置１の起動毎に表示内容を変更することができる。ＢＩＯＳ  ＲＯＭ１４に起動画面データ２３を格納する動作について説明する。
【００５３】
（１）ＥＰＧデータ
図８は、本発明の起動画面の制御方法における画像記録再生装置１の起動画面の生成方法を示すフロー図である。画像記録再生装置１のＥＰＧ取得部３３は、一日に数回、指定の時間に放送電波に乗せられて送られてくるＥＰＧデータ３６をアンテナ３から取得するために、指定の時間になると画像記録再生装置１を自動的に起動する（ステップＳ１１）。取得したＥＰＧデータ３６をＨＤＤ１５に格納する（ステップＳ１２）。画像記録再生装置１がネットワーク５に接続されている時は、ネットワーク５経由でＥＰＧデータ３６を取得し、ＨＤＤ１５に格納する（ステップＳ１２）。画面作成部３５は、ＥＰＧデータ３６取得の完了後、ＥＰＧデータ３６に所定の加工（例示：必要なデータ（例示：放送局名、番組タイトル、放映時間）を抽出、一覧表化）を施して、起動画面用データ３９を作成する（ステップＳ１３）。画面作成部３５は、作成された起動画面用データ３９を起動画面用データ２３としてＢＩＯＳ  ＲＯＭ１４に格納する（ステップＳ１４）。その後、画像記録再生装置１の電源を自動的にオフする（ステップＳ１５）。
【００５４】
ここで、ＥＰＧデータ３６の加工は、例えば、ＥＰＧデータのその日の分だけの番組表を作成することや、予め設定された番組の種類や俳優などに対応する番組をＥＰＧデータから抽出してリストにすることや、過去に録画したことのある番組をＥＰＧデータから抽出してリストにすることなどである。
【００５５】
これにより、起動画面用データ２３をＥＰＧデータで毎日書き換えることができ、ユーザが画像記録再生装置１の電源を入れるごとにその起動画面を変えることが可能となる。すなわち、起動時にＢＩＯＳやＯＳの起動画面以外であって、毎回変わる固定的でない起動画面を表示させることが出来る。加えて、起動画面がユーザの興味を引くことが可能な番組表やリストなので、ユーザがその内容に集中している間にＯＳ３０やアプリケーションソフトウエア３１）の起動を行うことが出来、ユーザの感じる感覚的な起動時間を短く感じさせることが可能となる。そして、起動時にＢＩＯＳやＯＳの起動画面が表示されることや起動に時間がかかることに対するユーザの不満を解消することが可能となる。
【００５６】
（２）予約録画に関するデータ
図９は、本発明の起動画面の制御方法における画像記録再生装置１の起動画面の他の生成方法を示すフロー図である。画像記録再生装置１の予約録画部３４は、ユーザの入力した予約データ３８に基づいて、予約録画を実行する時刻になった場合、画像記録再生装置１を自動的に起動する（ステップＳ２１）。予約録画を実行する。予約録画部３４は、アンテナ３又はネットワーク５経由で、予約録画対象の画像データを録画し、録画データ３７としてＨＤＤ１５に格納する（ステップＳ２２）。画面作成部３５は、予約録画による録画データ３７取得の完了後、録画を完了した録画データ３７（未視聴）の番組のタイトル一覧やサムネールのような起動画面用データ３９を作成する（ステップＳ２３）。画面作成部３５は、作成された起動画面用データ３９を起動画面用データ２３としてＢＩＯＳ  ＲＯＭ１４に格納する（ステップＳ２４）。その後、予約録画部３４は、自動的に画像記録再生装置１の電源をオフする（ステップＳ２５）。
【００５７】
これにより、ユーザが前回電源を切り今回電源を入れるまでの間に予約録画で録画された番組がある場合、ユーザが電源を入れるごとに起動画面用データ２３を変えることが可能となる。すなわち、起動時にＢＩＯＳやＯＳの起動画面以外であって、予約録画の実行ごとに変わる固定的でない起動画面を表示させることが出来る。加えて、起動画面がユーザの興味を引くことが可能な未視聴の番組のタイトル一覧やサムネールなので、ユーザがその内容に集中している間にＯＳ３０やアプリケーションソフトウエア３１の起動を行うことが出来、ユーザの感じる感覚的な起動時間を短く感じさせることが可能となる。そして、起動時にＢＩＯＳやＯＳの起動画面が表示されることや起動に時間がかかることに対するユーザの不満を解消することが可能となる。
【００５８】
（３）現在の日付と時刻のデータ
画像記録再生装置１の起動画面として現在の日付と時刻を用いることも可能である。その場合、ＲＴＣ（Ｒｅａｌ−ｔｉｍｅ  Ｃｌｏｃｋ）の日付と時刻のデータを用いることが出来る。画面設定部２２が、この日付と時刻のデータを取得して、上述の起動画面用データ２３（例示：（１）や（２））に現在の日付時刻データを合成し、起動画面に現在の日付時刻を表示できる。この場合も、上述の（１）や（２）と同様の効果を得ることができる。
【００５９】
（４）一般教養データ
画像記録再生装置１の起動画面として一般的なクイズのＱ＆Ａや百科事典の内容や雑学のような一般教養データを用いることも可能である。その場合、ユーザが画像記録再生装置１の電源ボタンを押して電源をオフにしたとき、電源オフ処理時に画面作成部３５がＨＤＤ１５内に予め格納された、又はネットワーク５経由でサーバ４から取得した一般的なクイズのＱ＆Ａや百科事典の内容や雑学のような一般教養データの中からランダムにデータを抽出し、起動画面用データ２３としてＢＩＯＳ  ＲＯＭ１４に格納する。その後、電源をオフにする。これにより毎回起動時に異なる一般教養データが起動画面として表示され、この場合も、上述の（１）や（２）と同様の効果を得ることができる。
【００６０】
なお、上記（１）〜（４）の各データは、例示であり、本発明がこれらのデータに限定されるものではない。また、起動画面用データ３９として、番組表（ＥＰＧデータ）等、予約録画のリスト等及び一般教養データ等のいずれを表示するか、時刻のデータ等を重ねて表示するか、どのような頻度又はパターンで起動画面データを更新するかは、ユーザが画面作成部３５の設定で変更可能とする。画面作成部３５は、設定に基づいて、所定のデータについて、起動画面用データ３９を作成し、その起動画面用データ３９を起動画面用データ２３としてＢＩＯＳ  ＲＯＭ１４に格納する。
【００６１】
本発明は、図１０や図１１に示すように、ＵＭＡ構成を取らず、グラフィックスコアをＣｈｉｐｓｅｔに持たず、グラフィックスコアを独立した回路として持つＰＣアーキテクチャの構成を有する画像記録再生装置でも実施することが可能である。
図１０は、本発明の画像記録再生装置の実施の形態の他の構成を示すブロック図である。この図において、図１に示したアンテナ３、チューナ１７、エンコーダ１６、ネットワーク５、及びサーバ４は省略している。画像記録再生装置１ａは、起動画面出力回路５２及びセレクタ５１を有している点で、図１の画像記録再生装置１と異なる。
【００６２】
起動画面出力回路５２は、起動画面を生成し、画像記録再生装置１ａの起動時にセレクタ５１へ出力する。起動画面出力回路５２は、不揮発性メモリを有し、図１の画像記録再生装置１と同様な方法で形成された起動画面用データ２３を格納している。起動画面出力回路５２は、自身で起動画面用データ２３を生成しても良い。
【００６３】
セレクタ５１は、ＢＩＯＳ  ＲＯＭ１４の画面設定部２２からの指令に基づいて、画像記録再生装置１ａの起動時には起動画面出力回路５２からの起動画面用データ２３を、通常動作時にはグラフィックコア２６からの画像データをそれぞれＴＶモニタ２へ出力する。
【００６４】
画面設定部２２は、この場合、仮想ＶＲＡＭ領域の設定／開放ではなく、仮想ＶＲＡＭ領域の設定／開放のタイミングでセレクタ５１による起動画面出力回路５２／グラフィックコア２６の選択を行う。それにより、ＯＳ３０が立ち上がるまでは起動画面用データ２３がＴＶモニタ２に表示され、ＯＳ３０又はアプリケーションソフトウエア３１が立ち上がった後はそれらの画面データが表示される。この場合でも、画像記録再生装置１と同様の効果を得ることができる。
【００６５】
図１１は、本発明の画像記録再生装置の実施の形態の他の構成を示すブロック図である。この図において、図１に示したアンテナ３、チューナ１７、エンコーダ１６、ネットワーク５、及びサーバ４は省略している。画像記録再生装置１ｂは、セレクタ５４、グラフィックメモリ（Ｇｒａｐｈメモリ）５５及び起動画面用データＲＯＭ５６を有している点で、図１の画像記録再生装置１と異なる。
【００６６】
グラフィックメモリ（Ｇｒａｐｈメモリ）４５は、図１のメモリ１３におけるビデオメモリ（ＶＲＡＭ）に対応する。グラフィックスコア２６は、グラフィックメモリ（Ｇｒａｐｈメモリ）４５から画像データを取得し、ＴＶモニタ２が画面表示可能なように画像データを出力する。
【００６７】
起動画面用データＲＯＭ５６は、不揮発性メモリであり、図１の画像記録再生装置１と同様な方法で形成された起動画面用データ２３を格納している。
【００６８】
セレクタ５４は、ＢＩＯＳ  ＲＯＭ１４の画面設定部２２からの指令に基づいて、画像記録再生装置１ｂの起動時にはグラフィックメモリ５５の内、ＴＶモニタ２に表示されるデータを格納しているエリアを起動画面用データＲＯＭ５６とバンク切換を行う。このことにより、ＢＩＯＳやＯＳ３０が画面表示を行おうとグラフィックスメモリ５５にアクセスを行っても、そのエリアはＲＯＭなため書き換えは発生しなく、起動画面用データ２３の内容がＴＶモニタ２に出力される。アプリケーションソフトウェア３１が立ち上がった後は、切り替えを終了し通常のＲＡＭとなるため、アプリケーションソフトウェア３１の画面データが表示される。
【００６９】
画面設定部２２は、この場合、仮想ＶＲＡＭ領域の設定／開放ではなく、仮想ＶＲＡＭ領域の設定／開放のタイミングでセレクタ５４による起動画面用データＲＯＭ５６／グラフィックメモリ５５の選択を行う。それにより、ＯＳ３０が立ち上がるまでは起動画面用データ２３がＴＶモニタ２に表示され、ＯＳ３０又はアプリケーションソフトウエア３１が立ち上がった後はそれらの画面データが表示される。この場合でも、画像記録再生装置１と同様の効果を得ることができる。
【図面の簡単な説明】
【００７０】
【図１】図１は、本発明の画像記録再生装置の実施の形態の構成を示すブロック図である。
【図２】図２は、本発明の起動画面の制御方法の実施の形態におけるメモリに関する処理を示す概念図である。
【図３】図３は、本発明の起動画面の制御方法の実施の形態におけるメモリに関する処理を示す概念図である。
【図４】図４は、本発明の起動画面の制御方法の実施の形態におけるメモリに関する処理を示す概念図である。
【図５】図５は、本発明の起動画面の制御方法の実施の形態におけるメモリに関する処理を示す概念図である。
【図６】図６は、本発明の起動画面の制御方法の実施の形態におけるメモリに関する処理を示す概念図である。
【図７】図７は、本発明の起動画面の制御方法の実施の形態を示すフロー図である。
【図８】図８は、本発明の起動画面の制御方法における画像記録再生装置の起動画面の生成方法を示すフロー図である。
【図９】図９は、本発明の起動画面の制御方法における画像記録再生装置の起動画面の他の生成方法を示すフロー図である。
【図１０】図１０は、本発明の画像記録再生装置の実施の形態の他の構成を示すブロック図である。
【図１１】図１１は、本発明の画像記録再生装置の実施の形態の他の構成を示すブロック図である。
【符号の説明】
【００７１】
１    画像記録再生装置
２    ＴＭモニタ
３    アンテナ
４    サーバ
５    ネットワーク
１１    ＣＰＵ
１２    Ｃｈｉｐ  ｓｅｔ（チップセット）
１３    メモリ
１４    ＢＩＯＳ  ＲＯＭ
１５    ＨＤＤ
１６    エンコーダ
１７    チューナ
１８    Ｉ／Ｆ
２１    ＢＩＯＳ
２２    画面設定部
２３    起動画面用データ
２６    グラフィックスコア（Ｇｒａｐｈ）
３０    ＯＳ
３１    アプリケーションソフトウエア
３２    画面設定部
３３    ＥＰＧ取得部
３４    予約録画部
３５    画面作成部
３６    ＥＰＧデータ
３７    録画データ
３８    予約データ
３９    起動画面用データ
４１    ＶＲＡＭ（ビデオメモリ）領域
４２    メインメモリ領域
４２ａ    メインメモリ領域
４２ｂ    仮想ＶＲＡＭ領域
４３    書込みポインタ
４４    読出しポインタ
５１    セレクタ
５２    起動画面出力回路
５４    セレクタ
５５    セレクタ
５６    起動画面用データＲＯＭ
【図１】
2007193627.tif 000003
【図２】
2007193627.tif 000004
【図３】
2007193627.tif 000005
【図４】
2007193627.tif 000006
【図５】
2007193627.tif 000007
【図６】
2007193627.tif 000008
【図７】
2007193627.tif 000009
【図８】
2007193627.tif 000010
【図９】
2007193627.tif 000011
【図１０】
2007193627.tif 000012
【図１１】
2007193627.tif 000013